(57)【要約】【課題】非装着時に場所を取らないコンパクトな大きさを有し、ネックバンドの形状を簡略化させることが可能なヘッドホン装置を提供すること。【解決手段】スピーカユニット１１６を有し、耳介の表側に当接される略平板面を有するハウジング１１０と、ハウジングに接続されたネックバンド１２０とを備え、ネックバンドは、一部切欠きのあるリング形状を有し、両端の内側でハウジングが接続され、ネックバンドとハウジングの略平板面とは、略同一平面上に配置され、略同一平面に戻る方向に弾性力を有することを特徴とする。【選択図】図１
2008227754.tif 000002
【特許請求の範囲】
【請求項１】
スピーカユニットを有し、耳介の表側に当接される略平板面を有するハウジングと、
前記ハウジングに接続されたネックバンドと、
を備え、
前記ネックバンドは、
一部切欠きのあるリング形状を有し、両端の内側で前記ハウジングが接続され、
前記ネックバンドと前記ハウジングの前記略平板面とは、略同一平面上に配置され、前記略同一平面に戻る方向に弾性力を有することを特徴とする、ヘッドホン装置。
【請求項２】
前記ネックバンドの両端は、弓状に形成され、前記両端の曲率は、前記ネックバンドの他の部分の曲率よりも小さいことを特徴とする、請求項１記載のヘッドホン装置。
【請求項３】
前記ネックバンドは、弾性材で形成されたことを特徴とする、請求項１記載のヘッドホン装置。
【請求項４】
頭部への装着時に、前記ハウジングが前記ネックバンドの撓みによって回転することを特徴とする、請求項３記載のヘッドホン装置。
【請求項５】
前記ハウジングの回転は、頭部上下方向の軸を中心とした回転であることを特徴とする、請求項４記載のヘッドホン装置。
【請求項６】
前記ハウジングの回転は、頭部前後方向の軸を中心とした回転であることを特徴とする、請求項４記載のヘッドホン装置。
【請求項７】
前記ネックバンドの前記先端に、前記ネックバンドの両端を連結する連結部が設けられたことを特徴とする、請求項１記載のヘッドホン装置。
【請求項８】
前記ネックバンドのうち側頭部近傍領域に、再生装置から送信される再生信号を伝達する導線が接続されたことを特徴とする、請求項１記載のヘッドホン装置。
【請求項９】
前記ハウジングに、再生装置から送信される再生信号を無線で受信する受信部が設けられたことを特徴とする、請求項１記載のヘッドホン装置。
【請求項１０】
前記ネックバンドは、断面が略円形状又は平板形状であることを特徴とする、請求項１記載のヘッドホン装置。
【請求項１１】
スピーカユニットを有し、耳介の表側に当接される略平板面を有するハウジングと、
前記ハウジングに接続されたネックバンドと、
を備え、
前記ネックバンドは、
一部切欠きのあるリング形状を有し、両端の内側で前記ハウジングが接続され、
頭部非装着時において、前記ネックバンドと前記ハウジングの前記略平板面とは、略同一平面上に配置され、
頭部装着時において、前記ネックバンドの前記両端は、耳介の周囲に配置され、前記両端以外の前記両端より大きな曲率を有する部分は、後頭部に配置され、
前記ネックバンドと前記ハウジングとは、前記略同一平面に戻る方向に弾性力を有することを特徴とする、ヘッドホン装置。
【請求項１２】
頭部への装着時に、前記ハウジングが前記ネックバンドの撓みによって回転することを特徴とする、請求項１１記載のヘッドホン装置。
【発明の詳細な説明】
【技術分野】
【０００１】
本発明は、ヘッドホン装置に関する。
【背景技術】
【０００２】
ヘッドホン装置は、再生音を出力するスピーカユニットが内蔵されたハウジングと、ハウジングに接続されたバンドを備える。
【０００３】
ハウジングは、大きさや人の耳介１０との配置関係によって、耳覆い型、耳載せ型、イントラコンカ型、インサート型などに分類される。以下、図１０に示す耳介１０の全体図を参照して説明すると、耳覆い型は、耳介１０全体を覆う形状を有し、耳載せ型は、耳覆い型よりも小さく、耳介１０の表側に当接する形状を有している。また、イントラコンカ型は、耳介１０の耳甲介腔１２に挿入され、耳珠１４や対珠１６で保持される形状を有し、インサート型は、外耳道１８に挿入され、耳栓のように保持される形状を有している。
【０００４】
特に、耳覆い型や耳載せ型のヘッドホン装置は、ハウジングをバランスよく配置するため、ハウジングに接続された、例えば帯状のバンドでハウジングを保持している。バンドは、頭部との配置関係によって、ネックバンド、ヘッドバンドなどに分類される。ネックバンドは、バンドが後頭部に沿って配置され、ヘッドバンドは、バンドが頭頂部を通過するように配置される。
【０００５】
従来技術としては、例えば、特許文献１に、耳載せ型のハウジングと、ハウジングに接続されたネックバンドを有するヘッドホン装置が開示されている。
【０００６】
【特許文献１】特開平１０−２５７５８１号公報
【発明の開示】
【発明が解決しようとする課題】
【０００７】
ところで、ヘッドホン装置に設けられるヘッドバンドやネックバンドの形状は、変形が制限され、頭部の形に沿うような立体的な形状を有している。そのため、ヘッドホン装置の販売時にパッケージに収納したり、購入後に使用者がカバンなどに収納したりする際、ヘッドホン装置全体の大きさが大きくなり、かさばるという問題があった。例えば、バンドが頭部の形に沿った形状を有しているため５０ｍｍ以上の高さを有するという問題があった。
【０００８】
そのため、販売時に製品の運搬や保管に場所を多く取ったり、購入後にも持ち運びに不便であるという問題があった。
【０００９】
また、金型を使用してバンドを製造する場合、頭部の形に沿った形状を有するように製造するためには、複雑な形状の金型を製作しなければならず、金型製作や金型設計が困難であるという問題があった。
【００１０】
そこで、本発明は、上記問題に鑑みてなされたものであり、本発明の目的とするところは、非装着時に場所を取らないコンパクトな大きさを有し、ネックバンドの形状を簡略化させることが可能な、新規かつ改良されたヘッドホン装置を提供することにある。
【課題を解決するための手段】
【００１１】
上記課題を解決するために、本発明のある観点によれば、スピーカユニットを有し、耳介の表側に当接される略平板面を有するハウジングと、ハウジングに接続されたネックバンドとを備え、ネックバンドは、一部切欠きのあるリング形状を有し、両端の内側でハウジングが接続され、ネックバンドとハウジングの略平板面とは、略同一平面上に配置され、略同一平面に戻る方向に弾性力を有することを特徴とするヘッドホン装置が提供される。
【００１２】
かかる構成により、ハウジングは、耳介に当接されて、再生音が出力され、ネックバンドは、ハウジングを支持することができる。ネックバンドは、外力が入力されていないと、ハウジングの略平板面と共に、略同一平面を形成し、外力が入力されると、略同一平面に戻ろうとする付勢力が働く。
【００１３】
上記ネックバンドの両端は、弓状に形成され、両端の曲率は、ネックバンドの他の部分の曲率よりも小さいとすることができる。かかる構成により、ネックバンドの両端は、ハウジングと接続されているので、耳介の周囲にネックバンドの曲率の小さい部分が配置される。
【００１４】
上記ネックバンドは、弾性材で形成されてもよい。かかる構成により、弾性力のあるネックバンドを形成することができる。
【００１５】
頭部への装着時に、ハウジングはネックバンドの撓みによって回転することができる。かかる構成により、ハウジングを耳介側に押圧させることができる。
【００１６】
上記ハウジングの回転は、頭部上下方向の軸を中心とした回転であってもよい。かかる構成により、頭部の側面に沿ってハウジングを配置することができる。
【００１７】
上記ハウジングの回転は、頭部前後方向の軸を中心とした回転であってもよい。かかる構成により、頭部の側面に沿ってハウジングを配置することができる。
【００１８】
上記ネックバンドの先端に、ネックバンドの両端を連結する連結部が設けられてもよい。かかる構成により、ネックバンドに外力が入力されていないとき、ネックバンドとハウジングの略平板面で形成される略同一平面を確実に保持することができる。
【００１９】
上記ネックバンドのうち側頭部近傍領域に、再生装置から送信される再生信号を伝達する導線が接続されてもよい。かかる構成により、ネックバンドを装着した際、導線が人の頭部に干渉しにくくなる。
【００２０】
ハウジングに、再生装置から送信される再生信号を無線で受信する受信部が設けられてもよい。かかる構成により、ネックバンドを装着した際、再生装置から送信される再生信号を伝達する導線が人の頭部に干渉することがない。
【００２１】
上記ネックバンドは、断面が略円形状又は平板形状であってもよい。かかる構成により、バリエーションのあるネックバンドを形成することができる。
【００２２】
また、上記課題を解決するために、本発明の別の観点によれば、スピーカユニットを有し、耳介の表側に当接される略平板面を有するハウジングと、ハウジングに接続されたネックバンドとを備え、ネックバンドは、一部切欠きのあるリング形状を有し、両端の内側でハウジングが接続され、頭部非装着時において、ネックバンドとハウジングの略平板面とは、略同一平面上に配置され、頭部装着時において、ネックバンドの両端は、耳介の周囲に配置され、両端以外の両端より大きな曲率を有する部分は、後頭部に配置され、ネックバンドとハウジングとは、略同一平面に戻る方向に弾性力を有することを特徴とするヘッドホン装置が提供される。
【００２３】
かかる構成により、ハウジングは、耳介に当接されて、再生音が出力され、ネックバンドは、ハウジングを支持することができる。ネックバンドは、外力が入力されていない非装着時、ハウジングの略平板面と共に略同一平面を形成し、装着時、略同一平面に戻ろうとする付勢力が働く。
【００２４】
頭部への装着時に、ハウジングはネックバンドの撓みによって回転することができる。かかる構成により、ハウジングを耳介側に押圧させることができる。
【発明の効果】
【００２５】
本発明によれば、非装着時に場所を取らないコンパクトな大きさを有し、ネックバンドの形状を簡略化させることができる。
【発明を実施するための最良の形態】
【００２６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２７】
（第１の実施形態）
まず、本発明の第１の実施形態に係るヘッドホン装置１００の構成について説明する。図１は、本実施形態のヘッドホン装置１００を示す平面図である。図２は、本実施形態のヘッドホン装置１００を示す斜視図である。
【００２８】
ヘッドホン装置１００は、図１及び図２に示すように、再生音を出力するスピーカユニット１１６（図３参照）が内蔵された一対のハウジング１１０と、ハウジング１１０に接続されたネックバンド１２０を有する。
【００２９】
まず、図１〜図４を参照して、本実施形態のハウジング１１０について説明する。図３は、本実施形態のハウジング１１０を示す平面図である。図４は、図３のＡ−Ａ線で切断した本実施形態のハウジング１１０を示す断面図である。
【００３０】
ハウジング１１０は、図３及び図４に示すように円形状の面を有する筐体であり、本体部１１２と、カバー部材１１４と、スピーカユニット１１６と、音響抵抗部材１６０とを有する。本実施形態のヘッドホン装置１００は、ハウジング１１０が耳介１０（図１０参照）の表側の面と当接して配置される耳載せ型である。ハウジング１１０は、直径約３０ｍｍ〜５０ｍｍの円形状を有する。
【００３１】
本体部１１２は、スピーカユニット１１６を収容し、カバー部材１１４によって被覆される。本体部１１２は、側面でネックバンド１２０と接続され、ハウジング１１０が、ネックバンド１２０によって頭部で安定的に配置される。本体部１１２は、ヘッドホン装置１００の装着時、耳介１０側と接触する面に対して反対側に位置する。
【００３２】
本体部１１２は、導線１４０が設けられる。導線１４０は、再生装置（図示せず。）と接続されており、スピーカユニット１１６に接続されて再生信号を入力する。なお、スピーカユニット１１６と再生装置は、有線で接続されるとしたが、本実施形態はかかる例に限定されず、スピーカユニット１１６は、無線で再生信号が入力されるとしてもよい。この場合、本体部１１２には、受信部（図示せず。）やバッテリー部（図示せず。）などが設けられてもよい。
【００３３】
カバー部材１１４は、本体部１１２を覆っており、例えば、突起部１５０が形成されてもよい。カバー部材１１４の突起部１５０を除いた部分は、装着時、耳介１０のうち耳甲介腔１２の周囲部分と当接され、例えば平滑かつ緩やかな曲面を有している。また、カバー部材１１４の突起部１５０を除いた部分には、開口穴１５４が形成されてもよい。開口穴１５４は、ハウジング１１０内部と外部とを連結する。
【００３４】
突起部１５０は、カバー部材１１４の一面の所定範囲で突起状に設けられる。突起部１５０は、図１〜図４に示すように、例えば、カバー部材１１４の一面から円柱形状に突設されて、先端が曲面形状である中空部材である。突起部１５０は、例えば、直径約５ｍｍ〜２０ｍｍで形成される。突起部１５０は、耳甲介腔１２に挿入されて配置される。
【００３５】
突起部１５０は、図３及び図４に示すように、傾斜して突設されてもよく、この傾斜角度は任意に設定できる。傾斜角度を調節することで、突起部１５０は、耳甲介腔１２に適切に挿入され、ハウジング１１０を頭部に固定させることができる。
【００３６】
突起部１５０は、弾性を有する弾性素材で形成されてもよく、弾性を有さない硬質な素材で形成されてもよい。弾性を有する場合には、ヘッドホン装置１００の装着感が柔らかくなり、弾力性によってハウジング１１０を耳甲介腔１２に固定させることができる。突起部１５０の先端には、開口穴１５２が形成されてもよい。開口穴１５２からは、スピーカユニット１１６から出力された再生音が発せられる。
【００３７】
スピーカユニット１１６は、本体部１１２に収容されており、再生装置からの再生信号が入力されて、再生音を出力する。スピーカユニット１１６は、一般的なスピーカユニットを適用することができ、詳細な説明は省略する。
【００３８】
音響抵抗部材１６０は、例えば平板形状で形成され、例えば、不織布やプレスウレタン（フォーム）で形成される。音響抵抗部材１６０は、通気抵抗を高めたり、低下させたりすることで、本体部１１２、スピーカユニット１１６などの共振や製品特性、癖などを矯正して、再生音の音質を調節することができる。
【００３９】
音響抵抗部材１６０は、カバー部材１１４とスピーカユニット１１６の間に設けられる。音響抵抗部材１６０は、例えば、突起部１５０に該当する部分以外の領域に設けられるとしてもよいし、突起部１５０に該当する部分を含めてカバー部材１１４の内部側全面に設けられるとしてもよく、再生音の音質の調節などによってその面積を変えることができる。
【００４０】
次に、図１〜図７を参照して、本実施形態のネックバンド１２０について説明する。図５は、本実施形態のヘッドホン装置１００を装着した状態を示す側面図である。図６は、本実施形態のヘッドホン装置１００を装着した状態を示す頭部の正面図である。図７は、本実施形態のヘッドホン装置１００を装着した状態を示す頭部の断面図である。
【００４１】
ネックバンド１２０は、ヘッドホン装置１００の装着時、後頭部を通過するように配置される。ネックバンド１２０は、一部切欠きのあるリング形状、又は略Ｃ字形状を有している。ネックバンド１２０は、両方の端部１２２ａ、１２２ｂ付近で弓状に内側に更に曲がった曲線部分を有しており、端部１２２ａ、１２２ｂの内側でハウジング１１０と接続される。
【００４２】
ネックバンド１２０は、非装着時、例えば、頭部に装着されていない状態や、外力の入力がない状態でハウジング１１０の平板面と略同一平面上に配置される。ネックバンド１２０は、図２に示すように、ネックバンド１２０に接続されたハウジング１１０が互いに対向するよう変形された状態で、頭部に装着される。頭部に装着された状態を図５〜図７に示す。ネックバンド１２０は、図２に示すように、外力が加えられて撓むと、非装着時の同一平面に戻る方向に弾性力を有する。
【００４３】
ネックバンド１２０は、弾性素材、例えば、ＰＢＴ（Polybutyleneterephtalate：ポリブチレンテレフタレート）樹脂、ＰＰ（polypropylene：ポリプロピレン）などの合成樹脂で形成される。ネックバンド１２０は、例えば一体的に形成され、金型を用いて射出成形により製造される。
【００４４】
ネックバンド１２０の断面は、例えば、約円形状又は楕円形状であってもよいし、平板形状であってもよい。ネックバンド１２０の断面が円形状である場合、例えば直径約４ｍｍとすることができる。ネックバンド１２０の断面は、一端から他端まで一定の断面積を有するとしてもよいし、部分的に形状を変えて、断面積が異なる部分を有するとしてよい。ネックバンド１２０には、例えば再生信号を伝達するコードが内蔵される。なお、内蔵されるコードを配設するため、ネックバンド１２０の全長にわたって、溝（図示せず。）が形成されてもよい。
【００４５】
ネックバンド１２０は、上述したとおり一体成形されるが、大きく分けると耳介掛け領域１２４と、側頭部領域１２６と、後頭部領域１２８とに分けられる。以下、ネックバンド１２０の各構成要素について詳述する。
【００４６】
耳介掛け領域１２４は、ネックバンド１２０の両方の端部１２２ａ、１２２ｂ付近で内側に曲げられた部分であり、例えば、半径約４０ｍｍの弓形状を有する。耳介掛け領域１２４は、一対で形成される。耳介掛け領域１２４は、一端でハウジング１１０と接続され、他端で側頭部領域１２６に連続して接続されている。耳介掛け領域１２４は、ヘッドホン装置１００の装着時、図５及び図６に示すように、耳介１０の頭部側の面と側頭部との間を通過して、耳介１０に掛けられて配置される。
【００４７】
側頭部領域１２６は、ヘッドホン装置１００の両側に設けられた部分であり、例えば、約１００ｍｍの直線形状、又は緩やかな曲率を持った曲線形状を有する。側頭部領域１２６は、一対で形成される。側頭部領域１２６は、一端で耳介掛け領域１２４と連続して接続され、他端で後頭部領域１２８と連続して接続されている。側頭部領域１２６は、ヘッドホン装置１００の装着時、図５〜図７に示すように、側頭部に沿って、側頭部と近接するように配置される。
【００４８】
後頭部領域１２８は、ヘッドホン装置１００の一側に設けられた部分であり、例えば、半径約６０ｍｍの略半弧状の弓形状を有する。後頭部領域１２８は、耳介掛け領域１２４よりも大きな曲率を有する。後頭部領域１２８は、両側でそれぞれ側頭部領域１２６に連続して接続されている。後頭部領域１２８は、ヘッドホン装置１００の装着時、図５〜図７に示すように、後頭部に沿って、後頭部と近接するように配置される。
【００４９】
ヘッドホン装置１００は、更に連結部材１３０ａ、１３０ｂを有してもよい。連結部材１３０ａ、１３０ｂは、ネックバンド１２０の端部１２２ａ、１２２ｂにそれぞれ設けられる。連結部材１３０ａ、１３０ｂは、相互に連結される。
【００５０】
ヘッドホン装置１００は、非装着時、図１に示すような形状を有しており、ネックバンド１２０の端部１２２ａ、１２２ｂが相互に近接している。ネックバンド１２０の端部１２２ａ、１２２ｂが相互に接触する部分に、それぞれ連結部材１３０ａ、１３０ｂを設けることで、端部１２２ａ、１２２ｂを連結することができ、ネックバンド１２０とハウジング１１０の平板面とを確実に略同一平面内に納めることができる。
【００５１】
次に、本実施形態に係るヘッドホン装置１００の動作について説明する。図８は、本実施形態のヘッドホン装置１００のアオリ角の動作を示す斜視図である。図９は、本実施形態のヘッドホン装置１００のツイスト角の動作を示す斜視図である。
【００５２】
まず、ヘッドホン装置１００の非装着時について説明すると、ネックバンド１２０は、上述したように、図１に示すような形状で、ハウジング１１０の平板面と略同一平面上に配置される。また、ネックバンド１２０の端部１２２ａ、１２２ｂに連結部材１３０ａ、１３０ｂが形成されている場合は、連結部材１３０ａ、１３０ｂが相互に連結されている。
【００５３】
次に、ヘッドホン装置１００を頭部に装着する場合、ハウジング１１０は、ハウジング１１０の再生音が出力される側の一面が耳介１０の外側に当接するように配置される。ネックバンド１２０は、外力が加えられて、ハウジング１１０が対向するように外側へ開くように撓まされる。そして、ネックバンド１２０は、撓んだ状態で、後頭部側を通過するように配置される。
【００５４】
ネックバンド１２０は、非装着時の略同一平面に戻る方向に弾性力を有するため、外力が加えられて、装着時の形状に保持されようとすると、ネックバンド１２０とハウジング１１０は、内側方向に戻る方向に付勢される。
【００５５】
次に、ネックバンド１２０の装着時について詳しく説明する。まず、ヘッドホン装置１００は、図６及び図８に示すように、頭部の前後方向を軸として回転する方向（以下、アオリ角方向Ａともいう。）に弾性力を有する。また、ヘッドホン装置１００は、図９に示すように、頭部の上下方向を軸として回転する方向（以下、ツイスト角方向Ｂともいう。）に弾性力を有する。
【００５６】
アオリ角方向Ａの弾性力は、ネックバンド１２０、特にネックバンド１２０の耳介掛け領域１２４と側頭部領域１２６が略同一平面に戻ろうとする付勢力によって主に得られる。頭部上下方向に対する側頭部の傾斜、又は耳介１０の傾斜は、例えば、顎の方が細く頭部の方が広い場合、又はその逆の場合など、個人差によって異なる。ヘッドホン装置１００は、アオリ角方向Ａの弾性力を有するため、側頭部や耳介１０の傾斜に合わせて、ハウジング１１０が設置される角度を調節することができる。
【００５７】
また、ツイスト角方向Ｂの弾性力は、ネックバンド１２０の耳介掛け領域１２４のねじれによって主に得られる。頭部前後方向に対する側頭部の傾斜、又は耳介１０の傾斜は、例えば、耳介１０の頭部側の面と側頭部が離れているいわゆる立ち耳の場合や、近接しているいわゆる寝耳の場合など、個人差によって異なる。ヘッドホン装置１００は、ツイスト角方向Ｂの弾性力を有するため、ヘッドホン装置１００は、ツイスト角方向Ｂの弾性力を有するため、側頭部や耳介１０の傾斜に合わせて、ハウジング１１０が設置される角度を調節することができる。
【００５８】
以上のとおり、ヘッドホン装置１００は、ネックバンド１２０が同一平面に戻る方向に弾性力を有し、アオリ角方向Ａとツイスト角方向Ｂの弾性力を有するため、頭部と耳に適切に当接される。また、上記の弾性力によって、ヘッドホン装置１００が耳に適切に押圧されるため、装着した人の動作などによるずれが生じにくく、良好な装着感を実現することができる。
【００５９】
上述した本実施形態によれば、ヘッドホン装置１００は、ハウジング１１０の平板面とネックバンド１２０とが略同一平面に配置されるため、非装着状態での運搬時などにおいて、ヘッドホン装置１００全体の厚さが薄くなり場所を取らない。そのため、持ち運びが便利になり、販売時における展示スペースや保管スペースを減少させることができる。
【００６０】
また、例えば高温度（４０℃など）の保管試験において、ヘッドホン装置１００は、保管状態が略同一平面に納まる形状を有しているため、立体的な形状を有する従来のネックバンドに比べて高い耐久性を示すことができる。
【００６１】
また、ヘッドホン装置１００のネックバンド１２０は、非装着時、略同一平面に納まる形状で形成されるため、ネックバンド１２０を製造するための金型は、立体的な形状のネックバンドに比べて簡単に製造することができる。また、金型製造時の設計についても容易になる。
【００６２】
また、ヘッドホン装置１００は、ネックバンド１２０を撓ませることで頭部に沿った形状とし、常に立体的な形状とする必要がないため、ネックバンド１２０を軽量化して形成することができる。そのため、ヘッドホン装置１００の装着時において、ネックバンド１２０が自重で頭部の下方向に下がらず、ハウジング１１０とのバランスで頭部に配置することができる。そのため、ハウジング１１０に耳掛け部材を別途設置する必要がなく、ヘッドホン装置１００を単純な構成とすることができる。
【００６３】
また、ヘッドホン装置１００は、ネックバンド１２０が同一平面に戻る方向に弾性力を有し、アオリ角方向Ａとツイスト角方向Ｂの弾性力を有するため、頭部と耳に適切に当接される。また、上記の弾性力によって、ヘッドホン装置１００が耳に適切に押圧されるため、装着した人の動作などによるずれが生じにくく、良好な装着感を実現することができる。
【００６４】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６５】
例えば、上述した実施形態では、再生装置と接続された導線１４０がハウジング１１０の本体部１１２と接続されるとしたが、本発明はかかる例に限定されない。例えば、導線１４０は、ヘッドホン装置１００のネックバンド１２０の側頭部領域１２６でヘッドホン装置１００と接続されるとしてもよい。かかる構成により、ヘッドホン装置１００を装着した人が顔の側面で導線１４０に煩わされず、導線１４０の存在を気にせずに装着することができる。
【図面の簡単な説明】
【００６６】
【図１】本発明の第１の実施形態に係るヘッドホン装置１００を示す平面図である。
【図２】同実施形態のヘッドホン装置１００を示す斜視図である。
【図３】同実施形態のハウジング１１０を示す平面図である。
【図４】図３のＡ−Ａ線で切断した本実施形態のハウジング１１０を示す断面図である。
【図５】同実施形態のヘッドホン装置１００を装着した状態を示す側面図である。
【図６】同実施形態のヘッドホン装置１００を装着した状態を示す頭部の正面図である。
【図７】同実施形態のヘッドホン装置１００を装着した状態を示す頭部の断面図である。
【図８】同実施形態のヘッドホン装置１００のアオリ角の動作を示す斜視図である。
【図９】同実施形態のヘッドホン装置１００のツイスト角の動作を示す斜視図である。
【図１０】人の耳介１０を示す正面図である。
【符号の説明】
【００６７】
１００      ヘッドホン装置
１１０      ハウジング
１１２      本体部
１１４      カバー部材
１１６      スピーカユニット
１２０      ネックバンド
１２２ａ、１２２ｂ      端部
１２４      耳介掛け領域
１２６      側頭部領域
１２８      後頭部領域
１３０ａ、１３０ｂ      連結部材
１４０      導線
１５０      突起部
１５２、１５４      開口穴
１６０      音響抵抗部材
【図１】
2008227754.tif 000003
【図２】
2008227754.tif 000004
【図３】
2008227754.tif 000005
【図４】
2008227754.tif 000006
【図５】
2008227754.tif 000007
【図６】
2008227754.tif 000008
【図７】
2008227754.tif 000009
【図８】
2008227754.tif 000010
【図９】
2008227754.tif 000011
【図１０】
2008227754.tif 000012